(57)【要約】      （修正有）【課題】グリルバーナの振動を安定して抑制することが可能なグリル庫を提供する。【解決手段】グリル庫１０は、本体部１１と、グリルバーナ１２と、当接部材１７とを備える。本体部は、開口部が形成された上壁と、上壁に対向する底壁とを有している。グリルバーナは、底壁に対向する第１面と、第１面の反対面である第２面とを有している。グリルバーナは、開口部を覆うように配置されている。当接部材は、第２面に当接する当接部を有する。【選択図】図１
2020018351.tif 000002
【特許請求の範囲】
【請求項１】
開口部が形成された上壁と、前記上壁に対向する底壁とを有する本体部と、
前記底壁に対向する第１面と、前記第１面の反対面である第２面とを有し、前記開口部を覆うように配置されたグリルバーナと、
当接部材とを備え、
前記当接部材は、前記第２面に当接する当接部を有する、グリル庫。
【請求項２】
前記本体部は、前記上壁及び前記底壁に連なる第１側壁と、前記上壁及び前記底壁に連なり、かつ前記第１側壁と対向する第２側壁とをさらに有し、
前記当接部は、前記第１側壁から前記第２側壁に向かう第１方向に沿って前記第２面に当接する、請求項１に記載のグリル庫。
【請求項３】
前記本体部は、前記上壁及び前記底壁に連なる第１側壁と、前記上壁及び前記底壁に連なり、かつ前記第１側壁と対向する第２側壁とをさらに有し、
前記当接部は、前記第１側壁から前記第２側壁に向かう第１方向に交差する第２方向に沿って前記第２面に当接する、請求項１に記載のグリル庫。
【請求項４】
前記当接部は、前記第２面の中央からずれた位置において前記第２面に当接する、請求項１に記載のグリル庫。
【請求項５】
前記本体部は、前記上壁及び前記底壁に連なる第１側壁と、前記上壁及び前記底壁に連なり、かつ前記第１側壁と対向する第２側壁とをさらに有し、
前記当接部は、前記第１側壁から前記第２側壁に向かう第１方向に沿って前記中央からずれた位置において前記第２面に当接する、請求項４に記載のグリル庫。
【請求項６】
前記グリルバーナにガスを供給する配管をさらに備え、
前記グリルバーナは、前記第１方向において、前記第１側壁側にある第１端と、前記第１端の反対側の端である第２端とを有し、
前記配管は、前記グリルバーナの前記第２端側に接続されており、
前記当接部は、前記第１方向に沿って前記中央から前記第１端側にずれた位置において前記第２面に当接する、請求項５に記載のグリル庫。
【請求項７】
前記第１面には、炎孔が形成されており、
前記中央よりも前記第１端側にある前記炎孔の数は、前記中央よりも前記第２端側にある前記炎孔の数よりも多い、請求項６に記載のグリル庫。
【請求項８】
前記本体部は、前記上壁及び前記底壁に連なる第１側壁と、前記上壁及び前記底壁に連なり、かつ前記第１側壁と対向する第２側壁とをさらに有し、
前記当接部は、前記第１側壁から前記第２側壁に向かう第１方向に交差する第２方向に沿って前記中央からずれた位置において前記第２面に当接する、請求項４に記載のグリル庫。
【請求項９】
前記グリルバーナにガスを供給する配管をさらに備え、
前記本体部は、前記上壁、前記底壁、前記第１側壁及び前記第２側壁に連なる奥壁をさらに有し、
前記グリルバーナは、前記第２方向において、前記奥壁側にある第３端と、前記第３端の反対側の端である第４端とを有し、
前記グリルバーナは、前記グリルバーナの前記第３端側に接続されており、
前記当接部は、前記第２方向に沿って前記中央から前記第４端側にずれた位置において前記第２面に当接する、請求項８に記載のグリル庫。
【請求項１０】
前記第１面には、炎孔が形成されており、
前記中央よりも前記第４端側にある前記炎孔の数は、前記中央よりも前記第３端側にある前記炎孔の数よりも多い、請求項９に記載のグリル庫。
【請求項１１】
前記上壁との間で前記グリルバーナの外周部を挟み込む固定板をさらに備え、
前記当接部材は、前記グリルバーナの前記外周部と前記固定板との間に摺動可能に挟み込まれる、請求項１〜請求項１０のいずれか１項に記載のグリル庫。
【請求項１２】
請求項１〜請求項１１のいずれか１項に記載のグリル庫を備える、コンロ。
【発明の詳細な説明】
【技術分野】
【０００１】
本発明は、グリル庫及びコンロに関する。
【背景技術】
【０００２】
従来から、特開２０１７−２２１５４１号公報（特許文献１）に記載のコンロが知られている。特許文献１に記載のコンロは、筐体と、天板と、グリル庫と、グリルバーナと、遮熱板とを有している。
【０００３】
天板は、筐体の上部に設けられている。グリル庫は、筐体内に取り付けられている。グリルバーナは、グリル庫の上壁部に設けられることにより、グリル庫内を上方から加熱する。遮熱板は、天板とグリル庫との間において、グリル庫の上側を覆うように設けられている。
【０００４】
遮熱板は、当接部材を有している。当接部材は、遮熱板の上面に設けられる本体部と、本体部に設けられ、遮熱板にネジ止めされる固定部と、遮熱板に設けられた開口部に挿通される挿通部と、挿通部の下端側に設けられ、グリル庫の上壁部に当接する当接部とを有している。特許文献１に記載のコンロにおいては、当接部がグリル庫の上壁部に当接することにより、グリルバーナの振動が抑制される。
【先行技術文献】
【特許文献】
【０００５】
【特許文献１】特開２０１７−２２１５４１号公報
【発明の概要】
【発明が解決しようとする課題】
【０００６】
上記のとおり、当接部材は、遮熱板にネジ止めにより固定されている。そのため、当接部の位置には、当接部材の寸法誤差及び取り付け誤差のみならず、遮熱板の寸法誤差及び取り付け誤差も影響する。その結果、特許文献１に記載のコンロにおいては、当接部が安定してグリル庫の上壁部を押圧することができず、グリルバーナの振動抑制が不十分となるおそれがある。
【０００７】
本発明は、上記のような従来技術の問題点に鑑みてなされたものである。より具体的には、本発明は、グリルバーナの振動を安定して抑制することが可能なグリル庫を提供するものである。
【課題を解決するための手段】
【０００８】
本発明の一態様に係るグリル庫は、本体部と、グリルバーナと、当接部材とを備える。本体部は、開口部が形成された上壁と、上壁に対向する底壁とを有している。グリルバーナは、底壁に対向する第１面と、第１面の反対面である第２面とを有している。グリルバーナは、開口部を覆うように配置されている。当接部材は、第２面に当接する当接部を有する。
【０００９】
上記のグリル庫において、本体部は、上壁及び底壁に連なる第１側壁と、上壁及び底壁に連なり、かつ第１側壁と対向する第２側壁とをさらに有していてもよい。当接部は、第１側壁から第２側壁に向かう第１方向に沿って第２面に当接していてもよい。
【００１０】
本体部は、上壁及び底壁に連なる第１側壁と、上壁及び底壁に連なり、かつ第１側壁と対向する第２側壁とをさらに有していてもよい。当接部は、第１側壁から第２側壁に向かう第１方向に交差する第２方向に沿って第２面に当接していてもよい。
【００１１】
上記のグリル庫において、当接部は、第２面の中央からずれた位置において第２面に当接していてもよい。
【００１２】
上記のグリル庫において、本体部は、上壁及び底壁に連なる第１側壁と、上壁及び底壁に連なり、かつ第１側壁と対向する第２側壁とをさらに有していてもよい。当接部は、第１側壁から第２側壁に向かう第１方向に沿って中央からずれた位置において第２面に当接していてもよい。
【００１３】
上記のグリル庫は、グリルバーナにガスを供給する配管をさらに備えていてもよい。グリルバーナは、第１方向において、第１側壁側にある第１端と、第１端の反対側の端である第２端とを有していてもよい。配管は、グリルバーナの第２端側に接続されていてもよい。当接部は、第１方向に沿って中央から第１端側にずれた位置において第２面に当接していてもよい。
【００１４】
上記のグリル庫において、第１面には、炎孔が形成されていてもよい。中央よりも第１端側にある炎孔の数は、中央よりも第２端側にある炎孔の数よりも多くてもよい。
【００１５】
上記のグリル庫において、本体部は、上壁及び底壁に連なる第１側壁と、上壁及び底壁に連なり、かつ第１側壁と対向する第２側壁とをさらに有していてもよい。当接部は、第１側壁から第２側壁に向かう第１方向に交差する第２方向に沿って中央からずれた位置において第２面に当接していてもよい。
【００１６】
上記のグリル庫は、グリルバーナにガスを供給する配管をさらに備えていてもよい。本体部は、上壁、底壁、第１側壁及び第２側壁に連なる奥壁をさらに有していてもよい。グリルバーナは、第２方向において、奥壁側にある第３端と、第３端の反対側の端である第４端とを有していてもよい。グリルバーナは、グリルバーナの第３端側に接続されていてもよい。当接部は、第２方向に沿って中央から第４端側にずれた位置において第２面に当接していてもよい。
【００１７】
上記のグリル庫において、中央よりも第４端側にある炎孔の数は、中央よりも第３端側にある炎孔の数よりも多くてもよい。
【００１８】
上記のグリル庫は、上壁との間でグリルバーナの外周部を挟み込む固定板をさらに備えていてもよい。当接部材は、グリルバーナの外周部と固定板との間に摺動可能に挟み込まれていてもよい。
【００１９】
本発明の一態様に係るコンロは、グリル庫を備える。このグリル庫は、上記のいずれかに記載のグリル庫である。
【発明の効果】
【００２０】
本発明の一態様に係るグリル庫及びコンロによると、グリルバーナの振動を安定して抑制することができる。
【図面の簡単な説明】
【００２１】
【図１】実施形態に係るグリル庫１０の分解斜視図である。
【図２】実施形態に係るグリル庫１０の本体部１１の上面図である。
【図３】図２のＩＩＩ−ＩＩＩにおける断面図である。
【図４】実施形態に係るグリル庫１０のグリルバーナ１２の上面図である。
【図５】実施形態に係るグリル庫１０のグリルバーナ１２の底面図である。
【図６】図４のＶＩ−ＶＩにおける断面図である。
【図７】実施形態に係るグリル庫１０の上面図である。
【図８】図７のＶＩＩＩ−ＶＩＩＩにおける断面図である。
【図９】実施形態の第１変形例に係るグリル庫１０の上面図である。
【図１０】実施形態の第２変形例に係るグリル庫１０の上面図である。
【図１１】実施形態に係るコンロ１００の斜視図である。
【発明を実施するための形態】
【００２２】
本発明の実施形態の詳細を、図面を参照しながら説明する。以下の図面においては、同一又は相当する部分に同一の参照符号を付し、重複する説明は繰り返さない。なお、以下に記載する実施形態の少なくとも一部を任意に組み合わせてもよい。
【００２３】
（実施形態に係るグリル庫）
以下に、実施形態に係るグリル庫１０の構成を説明する。
【００２４】
図１に示されるように、グリル庫１０は、本体部１１と、グリルバーナ１２と、配管１３と、固定板１４、固定板１５及び固定板１６と、当接部材１７を有している。
【００２５】
図２及び図３に示されるように、本体部１１は、上壁１１ａと、底壁１１ｂと、第１側壁１１ｃと、第２側壁１１ｄと、奥壁１１ｅとを有している。本体部１１は、１つの部材で構成されている必要はない。例えば、底壁１１ｂ、第１側壁１１ｃ及び第２側壁１１ｄは１つの部材で構成されており、上壁１１ａ及び奥壁１１ｅがそれぞれ別の部材で構成されていてもよい。上壁１１ａには、開口部１１ｆが形成されている。開口部１１ｆは、上壁１１ａを厚さ方向に貫通している。
【００２６】
底壁１１ｂは、上壁１１ａと対向している。第１側壁１１ｃ及び第２側壁１１ｄは、上端において、上壁１１ａに連なっている。第１側壁１１ｃ及び第２側壁１１ｄは、下端において底壁１１ｂに連なっている。
【００２７】
第１側壁１１ｃ及び第２側壁１１ｄは、互いに対向している。以下において、第１側壁１１ｃから第２側壁１１ｄに向かう方向を、第１方向ＤＲ１といい、第１方向ＤＲ１に交差する方向を、第２方向ＤＲ２という。第２方向ＤＲ２は、第１方向ＤＲ１に直交していることが好ましい。
【００２８】
奥壁１１ｅは、上端において上壁１１ａに連なっており、下端において底壁１１ｂに連なっている。奥壁１１ｅは、第１側壁１１ｃ及び第２側壁１１ｄにも連なっている。本体部１１は、奥壁１１ｅとは反対側において、開口している。この開口から、本体部１１の内部に被加熱物（魚等）が挿入される。
【００２９】
図４〜図６に示されるように、グリルバーナ１２は、第１面１２ａと、第２面１２ｂとを有している。第２面１２ｂは、第１面１２ａの反対面である。グリルバーナ１２は、開口部１１ｆを覆うように、本体部１１上（上壁１１ａ上）に配置されている。グリルバーナ１２は、開口部１１ｆを介して第１面１２ａ及び底壁１１ｂが互いに対向するように配置されている。
【００３０】
第１面１２ａには、炎孔１２ｃが形成されている。炎孔１２ｃは、グリルバーナ１２の内部と連通している。配管１３から供給されるガスが燃焼することにより、炎孔１２ｃから底壁１１ｂ側に向かって炎が噴出する。この炎により、被加熱物が加熱される。
【００３１】
グリルバーナ１２は、第１端１２ｄと、第２端１２ｅとを有している。第１端１２ｄ及び第２端１２ｅは、第１方向ＤＲ１におけるグリルバーナ１２の端である。第１端１２ｄは、第１側壁１１ｃ側の端である。第２端１２ｅは、第１端１２ｄの反対側の端である。
【００３２】
グリルバーナ１２は、第３端１２ｆと、第４端１２ｇとを有している。第３端１２ｆ及び第４端１２ｇは、第２方向ＤＲ２におけるグリルバーナ１２の端である。第３端１２ｆは、奥壁１１ｅ側の端である。第４端１２ｇは、第３端１２ｆの反対側の端である。
【００３３】
第２面１２ｂは、中央Ｃを有している。なお、中央Ｃは、第１方向ＤＲ１における第１端１２ｄと中央Ｃとの間の距離が第１方向ＤＲ１における第２端１２ｅと中央Ｃとの間の距離と等しくなり、かつ、第２方向ＤＲ２における第３端１２ｆと中央Ｃとの間の距離が第２方向ＤＲ２における第４端１２ｇと中央Ｃとの間の距離に等しくなる位置として定義される。
【００３４】
中央Ｃよりも第１端１２ｄ側にある炎孔１２ｃの数は、中央Ｃよりも第２端１２ｅ側にある炎孔１２ｃの数よりも多い。中央Ｃよりも第４端１２ｇ側にある炎孔１２ｃの数は、中央Ｃよりも第３端１２ｆ側にある炎孔１２ｃの数よりも多い。
【００３５】
配管１３は、グリルバーナ１２に接続されている。配管１３から、グリルバーナ１２の内部にガスが供給される。配管１３は、グリルバーナ１２の第２端１２ｅ側に接続されている。また、配管１３は、グリルバーナ１２の第３端１２ｆ側に接続されている。より具体的には、配管１３は、グリルバーナ１２の第２端１２ｅ側の外周とグリルバーナ１２の第３端１２ｆ側の外周とが連なる部分に接続されている。
【００３６】
図７に示されるように、固定板１４は、板状の形状を有している。固定板１４は、上壁１１ａとの間でグリルバーナ１２の外周部を挟み込むことによりグリルバーナ１２を本体部１１に固定している。固定板１４は、第２方向ＤＲ２に沿って延在している。固定板１４は、開口部１１ｆの第１側壁１１ｃ側の縁に沿って配置されている。
【００３７】
固定板１５は、固定板１４と同様の構成を有している。固定板１５は、板状の形状を有している。固定板１５は、上壁１１ａとの間でグリルバーナ１２の外周部を挟み込むことにより、グリルバーナ１２を本体部１１に固定している。固定板１５は、第２方向ＤＲ２に沿って延在している。固定板１５は、開口部１１ｆの第２側壁１１ｄ側の縁に沿って配置されている。
【００３８】
固定板１６は、固定板１４と同様の構成を有している。固定板１６は、板状の形状を有している。固定板１６は、上壁１１ａとの間でグリルバーナ１２の外周部を挟み込むことにより、グリルバーナ１２を本体部１１に固定している。固定板１６は、第１方向ＤＲ１に沿って延在している。固定板１６は、奥壁１１ｅとは反対側にある開口部１１ｆの縁に沿って配置されている。
【００３９】
なお、固定板１４は、例えばネジ１４ａにより本体部１１（上壁１１ａ）に固定されている。同様に、固定板１５は、例えばネジ１５ａにより本体部１１（上壁１１ａ）に固定されており、固定板１６は、例えばネジ１６ａにより本体部１１（上壁１１ａ）に固定されている。
【００４０】
図７及び図８に示されるように、当接部材１７は、当接部１７ａと、当接部１７ｂとを有している。
【００４１】
当接部１７ａは、第２面１２ｂに当接している。当接部１７ａは、第２方向ＤＲ２に沿って第２面１２ｂに当接している。すなわち、当接部１７ａは、第２方向ＤＲ２に沿って延在している。当接部１７ａは、第１方向ＤＲ１において中央Ｃから第１端１２ｄ側にずれた位置において第２面１２ｂに当接している。また、当接部１７ａは、第２方向ＤＲ２において中央Ｃから第４端１２ｇ側にずれた位置において第２面１２ｂに当接している。
【００４２】
当接部１７ｂは、第２面１２ｂに当接している。当接部１７ｂは、第２方向ＤＲ２に沿って第２面１２ｂに当接している。すなわち、当接部１７ｂは、第２方向ＤＲ２に沿って延在している。当接部１７ｂは、第１方向ＤＲ１において中央Ｃから第２端１２ｅ側にずれた位置において第２面１２ｂに当接している。また、当接部１７ｂは、第２方向ＤＲ２において中央Ｃから第４端１２ｇ側にずれた位置において第２面１２ｂに当接している。
【００４３】
当接部材１７は、例えばネジ１４ａ及びネジ１５ａにより、固定板１４及び固定板１５とともに本体部１１（上壁１１ａ）に固定されている。
【００４４】
当接部材１７の構成は、上記の構成に限られない。図９及び図１０に示されるように、当接部材１７は、固定板１４及び固定板１５とグリルバーナ１２の外周部との間に摺動可能に挟み込まれることにより取り付けられていてもよい。当接部１７ａは、第１方向ＤＲ１に沿って第２面１２ｂに当接していてもよい（第１方向ＤＲ１に沿って延在していてもよい）。
【００４５】
図９に示されるように、当接部１７ａは、第２方向ＤＲ２において中央Ｃから第４端１２ｇ側にずれた位置において第２面１２ｂに当接していてもよい。図１０に示されるように、当接部１７ａは、第２方向ＤＲ２において中央Ｃから第３端１２ｆ側にずれた位置において第２面１２ｂに当接していてもよい。
【００４６】
なお、「当接部１７ａ（当接部１７ｂ）が第１方向ＤＲ１（第２方向ＤＲ２）において中央Ｃからずれた位置において第２面１２ｂに当接する」とは、第１方向ＤＲ１（第２方向ＤＲ２）における中央Ｃの位置と第１方向ＤＲ１（第２方向ＤＲ２）における当接部１７ａ（当接部１７ｂ）の中央の位置とが一致していないことをいう。
【００４７】
以下に、実施形態に係るグリル庫１０の効果を説明する。
グリル庫１０においては、グリルバーナ１２の内部でガスが燃焼する際に、気温等の影響により、炎孔１２ｃから噴出する火炎が揺らぎ、振動を生じさせることがある。この振動に起因して、グリルバーナ１２から共鳴音が発生するおそれがある。
【００４８】
グリル庫１０において、当接部（当接部１７ａ、当接部１７ｂ）の位置は、当接部材１７の寸法誤差及び取り付け誤差で決定されることになり、他の部材の寸法誤差及び取り付け誤差の影響を受けにくい。そのため、グリル庫１０によると、当接部（当接部１７ａ、当接部１７ｂ）により安定してグリルバーナ１２を押圧することができ、その結果、グリルバーナ１２の振動を安定して抑制することができる。
【００４９】
本発明者らが見出した知見によると、当接部（当接部１７ａ及び当接部１７ｂ）が第１方向ＤＲ１に沿って第２面１２ｂに当接していることにより、当接部が第２方向ＤＲ２に沿って第２面１２ｂに当接している場合よりも、より安定してグリルバーナ１２の振動を抑制することができる。
【００５０】
本発明者らが見出した知見によると、当接部（当接部１７ａ当接部１７ｂ）が中央Ｃからずれた位置において第２面１２ｂに当接していることにより、当接部が中央Ｃにおいて第２面１２ｂに当接している場合よりも、グリルバーナ１２の振動をより安定して抑制することができる。これは、当接部が中央Ｃからずれた位置において第２面１２ｂに当接している場合、グリルバーナ１２の振動の定在波の腹に相対的に近い位置を当接することができるためであると考えられる。
【００５１】
本発明者らが見出した知見によると、当接部（当接部１７ａ）が第１方向ＤＲ１に沿って中央Ｃから第１端１２ｄ側にずれた位置において第２面１２ｂに当接していることにより、グリルバーナ１２の振動をさらに安定して抑制することができる。これは、配管１３から供給されるガスの流れの関係上、中央Ｃよりも第１端１２ｄ側にある炎孔１２ｃから炎が相対的に強く噴出され、振動が生じやすいためであると考えられる。
【００５２】
そのため、当接部（当接部１７ａ）を第１方向ＤＲ１に沿って中央Ｃから第１端１２ｄ側にずれた位置において第２面１２ｂに当接させることは、中央Ｃよりも第１端１２ｄ側にある炎孔１２ｃの数が中央Ｃよりも第２端１２ｅ側にある炎孔１２ｃの数よりも多いときに特に有効である。
【００５３】
本発明者らが見出した知見によると、当接部（当接部１７ａ）が第２方向ＤＲ２に沿って中央Ｃから第４端１２ｇ側にずれた位置において第２面１２ｂに当接していることにより、グリルバーナ１２の振動をさらに安定して抑制することができる。これは、配管１３から供給されるガスの流れの関係上、中央Ｃよりも第４端１２ｇ側にある炎孔１２ｃから炎が相対的に強く噴出され、振動が生じやすいためであると考えられる。
【００５４】
そのため、当接部（当接部１７ａ）を第２方向ＤＲ２に沿って中央Ｃから第４端１２ｇ側にずれた位置において第２面１２ｂに当接させることは、中央Ｃよりも第４端１２ｇ側にある炎孔１２ｃの数が中央Ｃよりも第３端１２ｆ側にある炎孔１２ｃの数よりも多いときに特に有効である。
【００５５】
実施形態に係るグリル庫１０において、当接部材１７が固定板１４及び固定板１５とグリルバーナ１２との間に摺動可能に挟み込まれることにより取り付けられている場合、当接部材１７の取り付け位置（つまり、当接部と第２面１２ｂとが当接する位置）を容易に調整することができる。そのため、この場合には、より効率的にグリルバーナ１２の振動を抑制することができる。
【００５６】
（実施形態に係るコンロ）
以下に、実施形態に係るコンロ１００の構成を説明する。
【００５７】
図１１に示されるように、コンロ１００は、グリル庫１０（図１１において図示せず）と、バーナ２０と、筐体３０とを有している。
【００５８】
グリル庫１０は、筐体３０の内部に収納されている。コンロ１００の使用者は、筐体３０の前面に設けられた扉３１を開くことにより、グリル庫１０の内部に被加熱物を入れることができる。なお、図示されていないが、グリル庫１０と筐体３０の上面との間には、遮熱板が配置されている。バーナ２０は、筐体３０の上面に取り付けられている。バーナ２０は、例えばブンゼン式のガスバーナである。バーナ２０の上には、鍋、フライパン等の調理器具が載置される。
【００５９】
今回開示された実施形態は全ての点で例示であって、制限的なものではないと考えられるべきである。本発明の範囲は上記した実施の形態ではなく、特許請求の範囲によって示され、特許請求の範囲と均等の意味、及び範囲内での全ての変更が含まれることが意図される。
【産業上の利用可能性】
【００６０】
上記の実施形態は、グリル庫及びグリル庫を有するコンロに特に有利に適用される。
【符号の説明】
【００６１】
１０  グリル庫、２０  バーナ、１００  コンロ、１１  本体部、１１ａ  上壁、１１ｂ  底壁、１１ｃ  第１側壁、１１ｄ  第２側壁、１１ｅ  奥壁、１１ｆ  開口部、１２  グリルバーナ、１２ａ  第１面、１２ｂ  第２面、１２ｃ  炎孔、１２ｄ  第１端、１２ｅ  第２端、１２ｆ  第３端、１２ｇ  第４端、１３  配管、１４，１５，１６  固定板、１４ａ，１５ａ，１６ａ  ネジ、１７  当接部材、１７ａ，１７ｂ  当接部、３０  筐体、３１  扉、Ｃ  中央、ＤＲ１  第１方向、ＤＲ２  第２方向。
【図１】
2020018351.tif 000003
【図２】
2020018351.tif 000004
【図３】
2020018351.tif 000005
【図４】
2020018351.tif 000006
【図５】
2020018351.tif 000007
【図６】
2020018351.tif 000008
【図７】
2020018351.tif 000009
【図８】
2020018351.tif 000010
【図９】
2020018351.tif 000011
【図１０】
2020018351.tif 000012
【図１１】
2020018351.tif 000013